(57)【特許請求の範囲】
【請求項１】
前後方向と、
前記前後方向と直交する幅方向と、
吸収体と、
前記吸収体の肌対向面側に配置されたトップシートと、を備え、
前記吸収体は、前記吸収体の幅方向の中央に配置された中央領域と、前記中央領域の前記幅方向の両側に配置された側部領域と、を有し、
前記側部領域の坪量は、前記中央領域の坪量よりも高く、
前記トップシートの前記中央領域と重なる領域には、ローションが塗布された塗布領域が設けられており、
前記塗布領域は、前記トップシートの前記側部領域と重なる領域にも配置されており、
前記吸収性物品を包装する包装体から開封した状態で、前記中央領域と重なる前記塗布領域のローションの坪量は、前記側部領域と重なる前記塗布領域のローションの坪量よりも高い、吸収性物品。
【請求項２】
前記塗布領域と前記ローションが塗布されていな非塗布領域とは、前記前後方向に延び、前記幅方向に交互に配置されており、
前記塗布領域の親水度は、前記非塗布領域の親水度よりも低く、
前記塗布領域は、前記トップシートの肌対向面側に設けられており、
前記トップシートにおいて前記中央領域と重なる領域には、前記塗布領域及び前記非塗布領域が配置されている、請求項１に記載の吸収性物品。
【請求項３】
前記側部領域の密度は、前記中央領域の密度よりも高い、請求項１又は請求項２に記載の吸収性物品。
【請求項４】
前記中央領域の厚みは、前記側部領域の厚みよりも薄い、請求項１から３のいずれかに記載の吸収性物品。
【請求項５】
前記吸収体は、前記側部領域から前記中央領域に向かって非肌対向面側に延びる壁部を有し、
前記トップシートにおいて前記壁部と重なる領域には、少なくとも前記非塗布領域が配置されている、請求項２に記載の吸収性物品。
【請求項６】
前記非塗布領域の前記幅方向の長さは、１ｍｍ以上、１０ｍｍ以下である、請求項２又は請求項５に記載の吸収性物品。
【請求項７】
前記トップシートは、凸部及び前記凸部よりも非肌対向面側に凹む凹部を有し、
前記凸部及び前記凹部は、前記前後方向に延び、前記幅方向に交互に配置されており、
前記塗布領域は、少なくとも前記凸部に設けられており、
前記非塗布領域は、少なくとも前記凹部に設けられている、請求項２、請求項５及び請求項６のいずれかに記載の吸収性物品。
【請求項８】
前記吸収体は、パルプと高吸収性ポリマーを有し、
前記側部領域の前記高吸収性ポリマーの坪量は、前記中央領域の前記高吸収性ポリマーの坪量よりも高い、請求項１から請求項７のいずれかに記載の吸収性物品。
【請求項９】
前記吸収体は、前記前後方向に延びる一対の第１折り目及び一対の第２折り目を有しており、
前記吸収体は、
前記一対の第１折り目の間に位置し、前記吸収体の幅方向の中央を含む中央吸収層と、
前記第１折り目より幅方向内側に位置する前記第２折り目と前記第１折り目との間に位置し、前記中央吸収層の肌対向面側にそれぞれ配置される一対の第１側部吸収層と、
前記第２折り目よりも幅方向の外側に位置し、前記第１側部吸収層の肌対向面側にそれぞれ配置される一対の第２側部吸収層と、を有し、
前記中央領域は、前記中央吸収層のみが配置され、
前記側部領域は、前記中央吸収層、前記第１側部吸収層及び前記第２側部吸収層が積層されており、
前記第１側部吸収層の肌対向面と前記第２側部吸収層の非肌対向面とは、接合されていない、請求項１から請求項８のいずれかに記載の吸収性物品。
【請求項１０】
前記吸収体の非肌対向面側に配置された非肌面シートを有し、
前記第２側部吸収層は、前記第１折り目よりも幅方向外側に延びており、
前記第２側部吸収層の非肌対向面と前記非肌面シートとが接合された接合領域と、前記接合領域よりも前記幅方向の内側において、前記第２側部吸収層の非肌対向面と前記非肌面シートとが接合されていない非接合領域と、が設けられている、請求項９に記載の吸収性物品。
【発明の詳細な説明】
【技術分野】
【０００１】
本発明は、トップシートにローションを付した吸収性物品に関する。
【背景技術】
【０００２】
特許文献１は、トップシートにローションを付した吸収性物品を開示している。特許文献１のローションは、吸収性物品の幅方向の中央の領域に、間隔を空けて非連続的に配置されている。特許文献１のローションは、使用時に着用者の肌に触れることによって効果を発揮するものであり、物品内部に流れ込まないように高い粘度のものが選択される（特許文献１の段落００５９）。
【先行技術文献】
【特許文献】
【０００３】
【特許文献１】特表２００８−５２２７７２号公報
【発明の概要】
【０００４】
一般的に、吸収性物品は、流通時に厚み方向に積層されており、厚み方向に押圧される。また、吸収性物品は、着用された状態で体圧を受け、厚み方向に押圧される。吸収性物品が厚み方向に押圧されると、トップシート内のローションが吸収体側に移動することがある。トップシートに付されたローションが移動することによって、ローションが肌に触れ難くなり、ローションの効果を継続できないことがあった。
【０００５】
本発明は、上述の課題に鑑みてなされたものであり、トップシート上に付したローションの効果を継続し易い吸収性物品を提供することを目的とする。
【０００６】
本開示に係る吸収性物品（使い捨ておむつ１０）は、前後方向（前後方向Ｌ）と、前記前後方向と直交する幅方向（幅方向Ｗ）と、吸収体（吸収体４０）と、前記吸収体の肌対向面側に配置されたトップシート（トップシート５０）と、を備え、前記吸収体は、前記吸収体の幅方向の中央に配置された中央領域（中央領域４４）と、前記中央領域の前記幅方向の両側に配置された側部領域（側部領域４５）と、を有し、前記側部領域の坪量は、前記中央領域の坪量よりも高く、前記トップシートの前記中央領域と重なる領域には、ローションが塗布された塗布領域（塗布領域５３）が設けられていることを要旨とする。
【図面の簡単な説明】
【０００７】
【図１】一実施形態における使い捨ておむつの平面図である。
【図２】図１に示したＡ−Ａ線に沿った使い捨ておむつの断面図である。
【図３】展開状態の吸収体の平面図である。
【図４】図３のＢ−Ｂ線に沿った吸収体の断面図である。
【図５】トップシートと吸収体の幅方向に沿った断面を模式的に示した断面図である。
【図６】使い捨ておむつの着用状態を模式的に示した断面図である。
【図７】実施例１及び２に係る吸収性物品の刷け速度と、比較例１から３に係る吸収性物品の刷け速度と、の結果を示した図である。
【図８】３回模擬尿を滴下した際の滴下スタートから３０秒経過、１分経過、２分経過、３分経過、及び５分経過のトップシートの写真を示した図である。
【０００８】
本明細書及び添付図面の記載により、少なくとも以下の事項が明らかとなる。
前後方向と、
前記前後方向と直交する幅方向と、
吸収体と、
前記吸収体の肌対向面側に配置されたトップシートと、を備え、
前記吸収体は、前記吸収体の幅方向の中央に配置された中央領域と、前記中央領域の前記幅方向の両側に配置された側部領域と、を有し、
前記側部領域の坪量は、前記中央領域の坪量よりも高く、
前記トップシートの前記中央領域と重なる領域には、ローションが塗布された塗布領域が設けられている、吸収性物品。【０００９】
中央領域は、側部領域よりも坪量が低く、吸収性物品が厚み方向に押圧された際に側部領域よりも圧力を受け難い。当該中央領域と重なる領域にローションが付されているため、トップシートのローションが吸収体側に移行し難く、トップシート上にローションが残り続けることにより、ローションの効果を継続し易くなる。【００１０】
かかる吸収性物品であって、
前記塗布領域は、前記トップシートの前記側部領域と重なる領域にも配置されており、
前記吸収性物品を包装する包装体から開封した状態で、前記中央領域と重なる前記塗布領域のローションの坪量は、前記側部領域と重なる前記塗布領域のローションの坪量よりも高いことが望ましい。【００１１】
中央領域と重なる領域は、吸収体の幅方向の中央に配置されており、排泄口からの体液が多く排出される。中央領域と重なる領域におけるローションの坪量が多いため、体液が多く排出される領域においてローションの効果を継続し易くなる。【００１２】
かかる吸収性物品であって、
前記塗布領域と前記ローションが塗布されていな非塗布領域とは、前記前後方向に延び、前記幅方向に交互に配置されており、
前記塗布領域の親水度は、前記非塗布領域の親水度よりも低く、
前記塗布領域は、前記トップシートの肌対向面側に設けられており、
前記トップシートにおいて前記中央領域と重なる領域には、前記塗布領域及び前記非塗布領域が配置されていることが望ましい。【００１３】
塗布領域と非塗布領域は、交互に配置されており、非塗布領域には、塗布領域に付されたローションが浸透する。塗布領域は、トップシートの肌対向面側に設けられているため、非塗布領域に浸透したローションも、トップシートの肌対向面側に多く浸透している。非塗布領域の肌対向面側は、ローションの一部が浸透し、その親水度が低下する。そのため、非塗布領域において、トップシートは、厚み方向に親水度が変化し、肌対向面側から非肌対向面側に向かって親水度が高くなる。【００１４】
トップシート上に排出された体液は、親水度が低い側から高い側に導かれるため、塗布領域から非塗布領域に導かれる。非塗布領域に導かれた体液は、より親水度の高い非肌対向面側に移行し易く、吸収体側に引き込まれる。よって、体液を迅速に引き込むことができる。中央領域と重なる領域に塗布領域及び非塗布領域が配置されており、トップシート上にローションが残り続け易いため、体液を引き込む機能を継続し易くなる。また、前後方向に沿って塗布領域及び非塗布領域が設けられているため、体液を前後方向に沿って拡散し、広い面積で体液を引き込むことができ、引き込み性を高めることができる。【００１５】
かかる吸収性物品であって、
前記側部領域の密度は、前記中央領域の密度よりも高いことが望ましい。【００１６】
側部領域の密度が中央領域の密度よりも高いため、中央領域に引き込まれた体液は、側部領域に導かれる。体液を幅方向に拡散することができ、体液の引き込み性を高めることができる。また、吸収体の幅方向の全域にわたって吸収性能を有効活用することができる。【００１７】
かかる吸収性物品であって、
前記中央領域の厚みは、前記側部領域の厚みよりも薄いことが望ましい。【００１８】
中央領域は、吸収体の厚みが比較的薄く、側部領域と比較して非肌対向面側に凹んでいる。よって、中央領域と重なる領域は、厚み方向に押圧され難く、ローションを保持し続け、ローションの効果を継続し易い。また、中央領域が非肌対向面側に凹んでいるため、着用者と吸収体の間に前後方向に延びる空間を形成できる。当該空間によって体液を前後方向に拡散することができ、吸収体の前後方向の全域にわたって吸収性能を有効活用し易くなる。【００１９】
かかる吸収性物品であって、
前記吸収体は、前記側部領域から前記中央領域に向かって非肌対向面側に延びる壁部を有し、
前記トップシートにおいて前記壁部と重なる領域には、少なくとも前記非塗布領域が配置されていることが望ましい。【００２０】
壁部の非塗布領域によって、中央領域に引き込まれた体液を側部領域に引き込むことができる。体液を幅方向に拡散することができ、体液の引き込み性を高めることができる。中央領域に引き込まれた体液を側部領域に引き込むことにより、吸収体の幅方向の全域にわたって吸収性能を有効活用することができる。【００２１】
かかる吸収性物品であって、
前記非塗布領域の前記幅方向の長さは、１ｍｍ以上、１０ｍｍ以下であることが望ましい。【００２２】
非塗布領域の幅方向の長さが短くなると、液捌け性が高くなり、液浸透性が低くなる。一方、非塗布領域の幅方向の長さが長くなると、液捌け性が低下し、液浸透性が高くなる。非塗布領域の前記幅方向の長さは、１ｍｍ以上、１０ｍｍ以下であることにより、トップシートの液捌け性と液浸透性を両立することができる。【００２３】
かかる吸収性物品であって、
前記トップシートは、凸部及び前記凸部よりも非肌対向面側に凹む凹部を有し、
前記凸部及び前記凹部は、前記前後方向に延び、前記幅方向に交互に配置されており、
前記塗布領域は、少なくとも前記凸部に設けられており、
前記非塗布領域は、少なくとも前記凹部に設けられていることが望ましい。【００２４】
凸部にローションが付されていると、トップシートの肌対向面側の親水度が低くなり、凹部にローションが付されていないと、トップシートの肌対向面側の親水度が高い状態で維持される。そのため、凸部から凹部に向かって親水度が高くなる。体液は、より親水度の高い非肌対向面側に移行し易く、吸収体側に引き込まれ、迅速に吸収体側に引き込まれる。また、トップシートの凸部及び凹部によって、体液を前後方向に拡散することができ、吸収体の前後方向の全域にわたって吸収性能を有効活用し易くなる。【００２５】
かかる吸収性物品であって、
前記吸収体は、パルプと高吸収性ポリマーを有し、
前記側部領域の前記高吸収性ポリマーの坪量は、前記中央領域の前記高吸収性ポリマーの坪量よりも高いことが望ましい。【００２６】
側部領域は、高吸収性ポリマーの坪量が比較的高いため、体液の吸収時に膨潤し易い。側部領域が膨潤することにより、中央領域は、着用時に体圧を更に受け難く、ローションが吸収体側に移行することを抑制できる。また、側部領域が膨潤することにより、着用者と吸収体の間の空間の容積がより大きくなり、体液を前後方向に拡散し続け、吸収体の前後方向の全域にわたって吸収性能を有効活用し易くなる。【００２７】
かかる吸収性物品であって、
前記吸収体は、前記前後方向に延びる一対の第１折り目及び一対の第２折り目を有しており、
前記吸収体は、
前記一対の第１折り目の間に位置し、前記吸収体の幅方向の中央を含む中央吸収層と、
前記第１折り目より幅方向内側に位置する前記第２折り目と前記第１折り目との間に位置し、前記中央吸収層の肌対向面側にそれぞれ配置される一対の第１側部吸収層と、
前記第２折り目よりも幅方向の外側に位置し、前記第１側部吸収層の肌対向面側にそれぞれ配置される一対の第２側部吸収層と、を有し、
前記中央領域は、前記中央吸収層のみが配置され、
前記側部領域は、前記中央吸収層、前記第１側部吸収層及び前記第２側部吸収層が積層されており、
前記第１側部吸収層の肌対向面と前記第２側部吸収層の非肌対向面とは、接合されていないことが望ましい。【００２８】
このような吸収性物品によれば、第１側部吸収層と第２側部吸収層が接合されている構成と比較して、側部領域の厚みが厚くなり易い。そのため、中央領域による凹みを深く形成できる。中央領域と重なる領域がより押圧され難く、ローションを保持し続け、ローションの効果を継続し易い。【００２９】
かかる吸収性物品であって、
前記吸収体の非肌対向面側に配置された非肌面シートを有し、
前記第２側部吸収層は、前記第１折り目よりも幅方向外側に延びており、
前記第２側部吸収層の非肌対向面と前記非肌面シートとが接合された接合領域と、前記接合領域よりも前記幅方向の内側において、前記第２側部吸収層の非肌対向面と前記非肌面シートとが接合されていない非接合領域と、が設けられていることが望ましい。【００３０】
第２側部吸収層と非肌面シートは、接合領域によって接合され、非接合領域によって接合されていない。そのため、幅方向の外側から幅方向の内側に向かう力がかかった際に、接合領域を基点にして、非接合領域に接する吸収体が着用者側に盛り上がるように変形し、第２側部吸収層、非肌面シート、及び中央吸収層によって囲まれた空間を設けることができる。当該空間によって尿を収容できる。また、当該空間によって前後方向に尿を拡散でき、吸収体の前後方向の全域で体液を保持できる。【００３１】
＝＝＝本実施の形態に係る吸収性物品について＝＝＝
次に、本発明に係る吸収性物品としての使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。【００３２】
（１）使い捨ておむつの全体概略構成
図１は、本実施形態に係る吸収性物品としての使い捨ておむつ１０の展開状態の平面図である。図２は、図１に示したＡ−Ａ線に沿った使い捨ておむつ１０の断面図である。図３は、展開状態の吸収体の平面図である。図４は、図３に示すＢ−Ｂ線に沿った吸収体の断面図である。図１に示す平面図は、使い捨ておむつを構成するトップシート５０及びサイドシート７０等の皺が形成されない状態まで、レッグ伸縮部７５及び立体ギャザーの弾性部材７７を伸長させた状態の図である。なお、本実施の形態の吸収性物品は、使い捨ておむつに限られず、吸収パッドであってもよい。【００３３】
使い捨ておむつ１０は、前胴回り域２０と、股下域２５と、後胴回り域３０と、を有する。前胴回り域２０は、着用者の前胴回り部（腹部分）と接する部分である。また、後胴回り域３０は、着用者の後胴回り部（背部分）と接する部分である。股下域２５は、前胴回り域２０と後胴回り域３０との間に位置し、脚回り開口部３５が設けられる領域である。脚回り開口部３５は、使い捨ておむつの外側縁に設けられており、使い捨ておむつが着用者に着用された状態で着用者の脚回りに沿って配置される部分である。なお、外側縁は、幅方向の外側端であり、内側縁は、幅方向の内側端である。【００３４】
なお、本実施形態では、前胴回り域２０から後胴回り域３０に向かう方向を前後方向Ｌと呼び、前後方向Ｌと直交する方向を幅方向Ｗと呼び、着用者の肌対向面側Ｔ１と、肌対向面側Ｔ１と反対側であり、着用者の非肌対向面側Ｔ２と、を含む方向を厚み方向Ｔと呼ぶ。【００３５】
使い捨ておむつ１０は、吸収体４０と、吸収体４０の肌対向面側Ｔ１に配置されるトップシート５０と、吸収体４０の非肌対向面側Ｔ２に位置する非肌面シートと、を少なくとも有する。吸収体４０は、少なくとも股下域２５に配置される。吸収体４０は、吸収コア４０ａと、コアラップ４０ｂと、を有する。吸収コア４０ａは、従来の使い捨ておむつと同様の材料によって構成でき、粉砕パルプや高吸収ポリマー（ＳＡＰ）などの吸収材料を含んでおり、公知の部材や材料を用いて適宜構成することができる。コアラップ４０ｂは、吸収材料である吸収コア４０ａを覆うシートである。コアラップ４０ｂは、透液性を有する各種の繊維不織布もしくはティッシュによって構成される。吸収体４０については、後述にて詳細に説明する。トップシート５０は、不織布や織物などの液透過性のシートによって形成される。トップシート５０は、着用者の肌に当接するシートである。なお、トップシート５０と吸収体４０との間に、体液の引き込み性を高める補助シートを設けてもよい。【００３６】
バックシート６０ａは、液不透過性を有し、吸収コア４０ａ及びコアラップ４０ｂの非肌対向面側Ｔ２に配置される。バックシート６０ａの非肌対向面側Ｔ２には、不織布からなる外装シート６０が配置される。【００３７】
サイドシート７０は、トップシート５０の外側縁を覆い、トップシート５０よりも幅方向Ｗの外側に延出する。サイドシート７０の内側縁は、幅方向Ｗの外側に折り返されており、２層のサイドシート７０間に前後方向に伸縮する弾性部材７７が配置される。サイドシート７０と弾性部材７７とは、立体ギャザーを構成する。立体ギャザーは、前後方向に伸縮する弾性部材７７を有し、かつ使い捨ておむつの幅方向の中心よりも幅方向の両外側に一対で配置される。【００３８】
サイドシート７０には、ファスニングテープ９０が備えられる。ファスニングテープ９０は、後胴回り域３０において、幅方向Ｗに沿って延び、前胴回り域２０のターゲット部９５に止着されることにより、使い捨ておむつ１０を着用者の身体に保持する。ターゲット部９５は、一対のファスニングテープ９０がそれぞれ止着するように構成されている。吸収体４０の幅方向の外側には、脚回り開口部３５の周囲に形成され、前後方向Ｌに伸縮可能なレッグ伸縮部７５が備えられる。【００３９】
（２）吸収体の構成
次いで、吸収体４０の構成について詳細に説明する。吸収体４０は、図３及び図４に示すように、展開状態において１枚のシート状である。吸収体４０は、前後方向Ｌに延びる一対の第１折り線ＦＬ１と、前後方向Ｌに延びる一対の第２折り線ＦＬ２と、を有する。一対の第１折り線ＦＬ１及び一対の第２折り線ＦＬ２は、吸収体４０を折り畳むための折り線であり、吸収体４０を折り畳んだ状態で形成される。吸収体４０は、一対の第１折り線ＦＬ１と一対の第２折り線ＦＬ２とによって４か所で折られており、複数層に積層されている。一対の第１折り線ＦＬ１同士、一対の第２折り線ＦＬ２同士、及び第１折り線ＦＬ１と第２折り線ＦＬ２は、それぞれ幅方向Ｗにおいて離間している。図３に示すように、吸収体４０の展開状態（第１折り線ＦＬ１及び第２折り線ＦＬ２によって折り畳まれていない状態）において、第２折り線ＦＬ２は、第１折り線ＦＬ１よりも幅方向Ｗの外側に位置する。図２に示すように、吸収体４０の折り畳み状態（第１折り線ＦＬ１及び第２折り線ＦＬ２によって折り畳まれた状態）において、第２折り線ＦＬ２は、第１折り線ＦＬ１よりも幅方向Ｗの内側に位置する。【００４０】
吸収体４０は、折り畳み状態において、一対の第１折り線ＦＬ１の間に位置する中央吸収層４０１と、第１折り線ＦＬ１と第２折り線ＦＬ２との間に位置する一対の第１側部吸収層４０２と、第２折り線ＦＬ２よりも幅方向Ｗの外側に位置する一対の第２側部吸収層４０３と、を有する。第１側部吸収層４０２及び第２側部吸収層４０３は、中央吸収層４０１の肌対向面側Ｔ１に配置されており、本願の側部吸収層を構成する。図３及び図４に示す展開状態において、中央吸収層４０１は、吸収体４０の幅方向Ｗの中央を含み、一対の第１折り線ＦＬ１の間の領域である。第１側部吸収層４０２は、展開状態において中央吸収層４０１を挟んで両側に位置し、第１折り線ＦＬ１と第２折り線ＦＬ２の間の領域である。第２側部吸収層４０３は、展開状態において中央吸収層４０１及び一対の第１側部吸収層４０２を挟んで両側に位置し、第２折り線ＦＬ２よりも幅方向の外側の間の領域である。中央吸収層４０１、第１側部吸収層４０２、及び第２側部吸収層４０３は、幅方向Ｗにおいて連続している。中央吸収層４０１、第１側部吸収層４０２及び第２側部吸収層４０３は、連続する１枚のコアラップ４０ｂによって覆われている。コアラップ４０ｂは、中央吸収層４０１、第１側部吸収層４０２及び第２側部吸収層４０３を跨っている。【００４１】
吸収体４０は、第１折り線ＦＬ１によって着用者に対して谷折りされ、かつ第２折り線ＦＬ２によって着用者に対して山折りされる。吸収体４０が折り畳まれた折り畳み状態で、中央吸収層４０１の肌対向面側Ｔ１に第１側部吸収層４０２が配置され、第１側部吸収層４０２の肌対向面側Ｔ１に第２側部吸収層４０３が配置されている。第２側部吸収層４０３は、少なくとも一部が第１側部吸収層４０２の肌対向面側Ｔ１に配置されていればよい。吸収体４０は、第１折り線ＦＬ１及び第２折り線ＦＬ２によって折り畳まれるため、幅方向Ｗの寸法がコンパクトになる。【００４２】
折り畳み状態で一対の第２折り線ＦＬ２は、幅方向Ｗにおいて離間している。一対の第２折り線ＦＬ２の間には、中央吸収層４０１のみが配置される。一対の第２折り線ＦＬ２の間の領域は、吸収体４０の幅方向Ｗの中央に配置され、かつ中央吸収層４０１を有する中央領域４４を構成する。第１折り線ＦＬ１と第２折り線ＦＬ２の間の領域は、中央領域４４の幅方向Ｗの両外側に配置され、かつ中央吸収層４０１、第１側部吸収層４０２、及び第２側部吸収層４０３を有する側部領域４５を構成する。吸収体４０は、少なくとも中央領域４４及び側部領域４５を有する。【００４３】
中央領域４４の厚みは、側部領域４５の厚みよりも薄い。本実施の形態の中央領域４４の厚みは、３．８〜４．４ｍｍであり、側部領域４５の厚みは、５．０ｍｍ〜５．４ｍｍである。中央領域４４は、側部領域４５よりも非肌対向面側Ｔ２に凹んでいる。中央領域４４が非肌対向面側Ｔ２に凹んでおり、着用者と吸収体４０の間に前後方向Ｌに延びる空間Ｓ１が形成される。当該空間Ｓ１によって股下域に排出された体液を前後方向Ｌに拡散することができ、吸収体４０の前後方向の全域にわたって吸収性能を有効活用し易くなる。また、中央領域４４側から側部領域４５側に体液が導かれると、側部領域４５の内側縁（中央領域４４側の側部）は、体液の吸収に伴って膨潤する。側部領域４５と中央領域４４との厚み差が大きくなり、空間Ｓ１の容積を確保でき、吸収体４０の前後方向の全域にわたって吸収性能をより有効活用し易くなる。【００４４】
第２側部吸収層４０３の外側縁は、第１折り線ＦＬ１よりも幅方向Ｗの外側に位置する。第１折り線ＦＬ１よりも幅方向Ｗの外側には、第２側部吸収層４０３のみが配置される。幅方向Ｗの外側から幅方向Ｗの内側に向かう力がかかると、最も幅方向の外側に位置する第２側部吸収層４０３が幅方向Ｗの内側に押圧される。第２側部吸収層４０３が着用者側に盛り上がるように変形すると、中央領域４４を挟んだ両側において第２側部吸収層４０３による壁を比較的高く設けることができる。よって、体液の横漏れを抑制し、排泄物の漏れをより抑制できる。【００４５】
また、折り畳み状態の吸収体４０の外側縁４０Ｅは、着用者の脚回りに配置される。吸収体４０の外側縁４０Ｅは、第２側部吸収層４０３の外側縁である。折り畳み状態の吸収体４０の外側縁４０Ｅには、第２側部吸収層４０３のみが配置され、比較的厚みが薄い。よって、着用者の脚回りにおける違和感を低減できる。【００４６】
第１側部吸収層４０２の吸収材料の坪量は、中央吸収層４０１の吸収材料の坪量よりも低く、第２側部吸収層４０３の吸収材料の坪量よりも低い。具体的には、中央吸収層４０１は、パルプとＳＡＰを有し、第１側部吸収層４０２は、実質的に吸収材料を有しない。第１側部吸収層４０２は、設計上のＳＡＰ等の吸収材料の坪量が零であるが、製造工程において中央吸収層等から混入したＳＡＰやパルプを有していてもよい。中央吸収層４０１のパルプの坪量及び第２側部吸収層４０３のパルプの坪量は、第１側部吸収層４０２のパルプの坪量よりも高い。第１側部吸収層４０２は、中央吸収層４０１等よりも低い坪量のパルプを含んでいてもよいし、パルプ及びＳＡＰの両方を含まずにコアラップ４０ｂのみで構成されていてもよく、比較的坪量が低く構成されていることにより、第１側部吸収層４０２を介して中央吸収層４０１に体液を円滑に導くことができる。なお、変形例において、第１側部吸収層４０２の吸収材料の坪量は、中央吸収層４０１の吸収材料の坪量と同じであってもよいし、第２側部吸収層４０３の吸収材料の坪量と同じであってもよい。【００４７】
第１側部吸収層４０２のパルプの坪量が中央吸収層４０１及び第２側部吸収層４０３と比較して低いため、側部領域４５の厚みが厚くなり過ぎることを抑制でき、非肌対向面側Ｔ２に位置する中央吸収層４０１に体液を導き易くなる。また、第１側部吸収層４０２のパルプの坪量よりも中央吸収層４０１のパルプの坪量が高いため、第１側部吸収層４０２から中央吸収層４０１に体液が移行し易くなり、非肌対向面側Ｔ２に位置する中央吸収層４０１に体液を導き易くなる。第１折り線ＦＬ１及び第２折り線ＦＬ２には、パルプの坪量の違いによる剛性差が形成される。よって、第１折り線ＦＬ１及び第２折り線ＦＬ２を基点に吸収体４０をより折り畳み易くなる。【００４８】
第１側部吸収層４０２の厚みは、中央吸収層４０１の厚みよりも薄く、第２側部吸収層４０３の厚みよりも薄い。第１折り線ＦＬ１及び第２折り線ＦＬ２は、吸収体４０の厚み及び坪量が変化する境界であり、剛性が変化する境界となる。よって、第１折り線ＦＬ１及び第２折り線ＦＬ２を基点に吸収体４０を折り畳み易い。吸収体は、側部領域４５から中央領域４４に向かって非肌対向面側に延びる壁部４６を有する。壁部４６は、側部領域４５において最も厚みが厚い部分から中央領域４４側に延びる部分である。【００４９】
側部領域４５の坪量は、中央領域４４の坪量よりも高い。中央領域４４は、側部領域４５よりも坪量が低いため、吸収性物品が厚み方向に押圧された際に側部領域よりも圧力を受け難い。当該坪量は、パルプ及び高吸収性ポリマーを有する吸収コア４０ａと、コアラップ４０ｂと、を合わせた坪量である。また、側部領域４５の高吸収性ポリマーの坪量は、中央領域４４の高吸収性ポリマーの坪量よりも高い。側部領域４５の坪量は、側部領域４５において積層された中央吸収層４０１、第１側部吸収層４０２及び第２側部吸収層４０３を合わせた坪量である。側部領域４５は、高吸収性ポリマーの坪量が比較的高いため、体液の吸収時に膨潤し易い。側部領域４５が膨潤することにより、着用者と吸収体の間の空間の容積がより大きくなり、体液を前後方向に拡散し続け、吸収体４０の前後方向の全域にわたって吸収性能を有効活用し易くなる。【００５０】
側部領域４５のパルプの坪量は、中央領域４４のパルプの坪量よりも高い。側部領域４５は、パルプの坪量も比較的高いため、体液の吸収前の状態において厚くなり易い。また、側部領域４５は、ＳＡＰの坪量も高いため、体液の吸収後の状態においても厚くなり易い。よって、着用者と吸収体の間に前後方向に延びる空間Ｓ１の容積を確保し続けることができ、体液を前後方向Ｌに拡散し、吸収体４０の前後方向Ｌの全域にわたって吸収性能を有効活用し易くなる。【００５１】
側部領域４５の密度は、中央領域４４の密度よりも高い。本実施の形態の側部領域４５の密度は、０．１７２〜０．１８６ｇ/ｍ３であり、中央領域４４の密度は、０．１０６〜０．１２２ｇ/ｍ３である。側部領域４５の密度が中央領域４４の密度よりも高いため、中央領域４４に引き込まれた体液は、側部領域４５に導かれ易い。体液を幅方向Ｗに拡散することができ、吸収体の幅方向の全域にわたって吸収性能を有効活用し易くなる。なお、本実施の形態の吸収体４０は、中央吸収層４０１上に、第１側部吸収層４０２及び第２側部吸収層４０３を配置した状態で、厚み方向Ｔに圧縮することによって得られる。また、密度の測定は、中央領域４４及び側部領域４５のそれぞれからサンプルを切り出し、上述した測定方法によって算出できる。【００５２】
側部領域４５の幅方向Ｗの長さは、側部領域４５の体液を吸収した後の厚み以上である。側部領域４５の幅方向Ｗの長さが側部領域４５の体液を吸収した後の厚み以上であることにより、着用時に吸収体４０が変形した場合であっても側部吸収層と中央吸収層が重なった状態を維持し易く、繰り返し排出される体液を吸収し続け易い。なお、側部領域４５の体液を吸収した後の厚みは、吸収体４０が最大量の体液を吸収した状態の厚みである。なお、本実施の形態の側部領域４５の幅方向Ｗの長さ及び側部領域４５の体液を吸収した後の厚みは、８ｍｍである。【００５３】
側部領域４５において、コアラップ４０ｂは、中央吸収層４０１の肌対向面側Ｔ１及び第１側部吸収層４０２の非肌対向面側Ｔ２に配置されている。側部領域４５において、コアラップ４０ｂは、少なくとも２層重なっている。側部領域４５においてコアラップ４０ｂが複数重なって配置されていることにより、中央吸収層４０１側から側部吸収層側に体液を導きやすくなる。吸収体４０の厚み方向の全域にわたって吸収性能を有効活用し易くなる。なお、本実施の形態のコアラップ４０ｂは、側部領域４５の中央吸収層４０１と第２側部吸収層４０３の間において４層積層されている。比較的密度が高いコアラップ４０ｂが複数積層されていることより、トップシート５０側から吸収体４０側への体液の引き込み性を更に向上できる。【００５４】
（３）トップシートの構成
次いで、トップシート５０の構成について詳細に説明する。トップシート５０は、ローションが塗布された塗布領域５３と、ローションが塗布されていない非塗布領域５４と、を有する。塗布領域５３及び非塗布領域５４は、それぞれ前後方向Ｌに延びている。塗布領域５３は、幅方向Ｗに間隔を空けて配置され、非塗布領域５４は、幅方向Ｗに間隔を空けて配置されている。塗布領域５３と非塗布領域５４は、幅方向Ｗにおいて交互に配置される。なお、本実施の形態において「前後方向に沿って延びる」とは、少なくとも前後方向に一定の範囲を有する構成であればよく、前後方向に対して傾斜しつつ前後方向に延びる構成も含むものである。塗布領域５３は、少なくともトップシート５０の肌対向面側に設けられている。ローションは、トップシート５０の肌対向面側Ｔ１から塗布されている。そのため、ローションの量は、トップシートの非肌対向面側よりも肌対向面側Ｔ１の方が多い。【００５５】
ローションの種類は、限定されないが、例えば、疎水性のローションを用いることができる。本実施の形態のローションは、３８℃でゲル状状態を維持することができ、且つポリスチレン系ハードセグメントとソフトセグメントとを含むトリブロック以上のブロック共重合体であるスチレン系エラストマー及び炭化水素油を含む疎水性のローションである。ローションが疎水性を有するため、塗布領域５３の親水度は、非塗布領域５４の親水度よりも低い。このようなローションによれば、ローションが、３８℃でもゲル状状態を維持することができるので、使い捨ておむつの着用時において、着用者の体温等によって溶融しない。トップシートの非肌対向面にローションが浸透し難いため、トップシートとコアラップシートとの間の接着剤による接合に影響を与えず、接合状態を長時間に亘って安定して維持することができる。【００５６】
また、疎水性のローションが、親水性繊維などから構成されるトップシートの肌対向面に、間欠的に塗工されていることで、トップシートの肌対向面に、疎水性を有するローションの塗布領域５３が形成される一方、トップシート５０の内部は親水性を有しているため、塗布領域５３における疎水性の撥水作用とトップシート５０内部における親水性の吸水作用との相乗作用によって、トップシート５０の肌対向面上に供給された尿などの排泄物が、ローションの塗工されていない非塗布領域５４を介して、トップシート５０の内部に引き込まれ易い状態を形成することができる。厚み方向の液浸透性を保持しつつトップシートの液捌け性を向上させることができる。さらに、トップシートに着用者の体圧などが掛かり、トップシートの内部に浸透した液状排泄物がトップシートの肌対向面側に向かって移行するような場合でも、疎水性のローションがトップシートの肌対向面に存在することによって、排泄物がトップシートの肌対向面へ浸出することが阻害されるため、一度内部に浸透した液状排泄物の液戻りを効果的に防ぐことができる。その結果、使い捨ておむつを厚み方向の液浸透性を保持しつつ表面のドライ性に優れた使い捨ておむつとすることができる。良好なドライ性を実現することにより、蒸れを抑制し、臀部のかぶれを抑制できる。【００５７】
また、塗布領域５３と非塗布領域５４が、交互に配置されており、非塗布領域５４には、塗布領域５３に付されたローションが浸透する。塗布領域５３は、トップシート５０の肌対向面側Ｔ１に設けられているため、非塗布領域５４に浸透したローションも、トップシート５０の肌対向面側Ｔ１に多く浸透している。非塗布領域５４の肌対向面側Ｔ１は、ローションの一部が浸透し、その親水度が低下する。そのため、非塗布領域５４において、トップシート５０は、厚み方向Ｔに親水度が変化し、肌対向面側Ｔ１から非肌対向面側Ｔ２に向かって親水度が高くなる。トップシート５０上に排出された体液は、塗布領域５３から非塗布領域５４に導かれる。非塗布領域５４に導かれた体液は、より親水度の高い非肌対向面側Ｔ２に移行し易く、吸収体側に引き込まれる。よって、体液を迅速に引き込むことができる。【００５８】
塗布領域５３は、トップシート５０の中央領域４４と重なる領域に少なくとも設けられている。中央領域４４は、側部領域４５よりも坪量が低く、使い捨ておむつ１０が厚み方向Ｔに押圧された際に側部領域４５よりも圧力を受け難い。加えて、中央領域４４は、側部領域４５よりも薄い厚みを有し、側部領域４５よりも非肌対向面側Ｔ２に凹んでいる。よって、中央領域４４と重なる領域は、厚み方向Ｔに押圧され難い。中央領域４４と重なる領域に塗布領域５３及び非塗布領域５４が配置されている。当該中央領域４４と重なる領域にローションが付されているため、トップシート５０のローションが吸収体側に移行し難い。トップシート５０上にローションが残り続けることにより、ローションの効果を継続し易くなる。また、前後方向Ｌに沿って塗布領域５３及び非塗布領域５４が設けられているため、体液を前後方向Ｌに沿って拡散し、広い面積で体液を引き込むことができ、引き込み性を高めることができる。【００５９】
塗布領域５３は、トップシート５０の側部領域４５と重なる領域にも設けられている。一般的に吸収性物品は、厚み方向に積層された状態で流通される。側部領域４５の坪量が中央領域４４の坪量よりも高いため、使用前の状態（吸収性物品を包装する包装体から開封した状態）において、側部領域４５と重なるトップシート５０は、中央領域４４と重なるトップシート５０よりも押圧される。そのため、中央領域４４と重なる領域の塗布領域５３の坪量と、側部領域４５と重なる領域の塗布領域５３の坪量と、が同じ坪量であっても、側部領域４５と重なる領域のローションが非肌対向面側（吸収体側）Ｔ２により移行し易い。よって、使い捨ておむつを包装する包装体から開封した状態で、中央領域４４と重なる塗布領域５３のローションの坪量は、側部領域４５と重なる塗布領域５３のローションの坪量よりも高い。中央領域４４と重なる領域は、吸収体４０の幅方向Ｗの中央に配置されており、排泄口からの体液が多く排出される。中央領域４４と重なる領域におけるローションの坪量が高いため、体液が多く排出される領域において引き込み性を効果的に発揮できる。【００６０】
塗布領域５３及び非塗布領域５４は、トップシート５０において壁部４６と重なる領域に設けられている。壁部４６は、側部領域４５から中央領域４４に向かって非肌対向面側Ｔ２に延びており、平面方向に延びる領域と比較して、体圧を受け難い。よって、トップシート５０内にローションが残り易く、体液を引き込む機能を継続し易くなる。加えて、壁部４６と重なる領域に設けられた非塗布領域５４によって、中央領域４４に引き込まれた排泄物を側部領域４５に引き込むことができる。排泄物を幅方向Ｗに拡散することができ、体液の引き込み性を高めることができる。中央領域４４に引き込まれた排泄物を側部領域４５に引き込むことにより、吸収体４０の幅方向の全域にわたって吸収性能を有効活用することができる。【００６１】
トップシート５０上のローションが塗工される範囲（すなわち、トップシート５０の肌対向面の面積に対する塗工領域の面積の割合）については、トップシート５０の肌対向面の面積（以下、単に「トップシート５０の面積」という。）に対して、約１％〜約５０％の面積率が好ましく、更に好ましくは約５％〜約３０％の面積率であり、特に好ましくは約１０％〜約１５％の面積率である。ローションが、トップシート５０の面積に対して１％未満の面積率で塗工されていると、ローションの塗工領域が少なく、トップシート５０の肌対向面における疎水性が不十分であるため、上述の液捌け性及び厚み方向の液浸透性の効果が得られ難くなり、また、トップシート５０上のローションの量が少ないため、ローションが有する効果も十分に発揮することができない。一方、ローションが、トップシート５０の面積に対して５０％を超える面積率で塗工されていると、ローションが塗工されていないトップシート５０上の領域（すなわち、非塗工領域）が少ないため、トップシート５０の肌対向面上に供給された液状排泄物が、トップシート５０内に浸透し難くなる。【００６２】
また、トップシート５０の肌対向面に塗工されるローションの塗工量は、通常１〜３０ｇ／ｍ2の範囲内であるが、好ましくは６〜１５ｇ／ｍ2の範囲内であり、更に好ましくは６〜１０ｇ／ｍ2の範囲内である。ローションの塗工量が６ｇ／ｍ２未満であると、ローションの塗工量が少なく、トップシート５０の肌対向面における疎水性が不十分であるため、上述の液捌け性の効果が得られ難くなり、また、ローションの塗工量が１５ｇ／ｍ２を超えると、ローションの疎水性によって弾かれる度合いが増大するため、厚み方向の液浸透性が得られ難くなる。【００６３】
非塗布領域５４の幅方向の長さは、１ｍｍ以上、１０ｍｍ以下である。非塗布領域５４の幅方向Ｗの長さが短くなると、液捌け性が高くなり、液浸透性が低くなる。一方、非塗布領域５４の幅方向の長さが長くなると、液捌け性が低下し、液浸透性が高くなる。非塗布領域５４の幅方向Ｗの長さが１ｍｍ以上、１０ｍｍ以下であることにより、トップシート５０の液捌け性と液浸透性を両立することができる。【００６４】
より詳細には、非塗布領域５４の幅方向の長さが短くなると、非塗布領域５４において塗布領域５３から移行したローションの面積率が高くなる。厚み方向Ｔの親水勾配が設けられた領域が多くなり、親水勾配によって吸収体側に液が移動し易く、液捌け性が良好になる。また、非塗布領域５４の幅方向Ｗの長さが短くなると、ローションの面積率が高くなり、トップシート全体の親水度が低くなる。トップシートにて体液を保持し難くなり、液浸透性が低下する。【００６５】
非塗布領域５４の幅方向Ｗの長さが長くなると、非塗布領域５４において塗布領域５３から移行したローションの面積率が低くなり、厚み方向Ｔの親水勾配が設けられた領域が少なくなり、良好な液捌け性を得難くなる。また、非塗布領域５４の幅方向Ｗの長さが長くなると、ローションの面積率が低くなり、トップシート５０全体の親水度が高くなる。トップシート５０にて体液を保持し易くなり、液浸透性が向上する。【００６６】
「液捌け性」とは、トップシート５０の肌対向面上に供給された液状排泄物が、肌対向面上から非肌対向面側へ捌ける際の捌け易さを意味し、液状排泄物が、トップシート５０の肌対向面上から非肌対向面側へ捌けて、トップシート５０内からなくなるのに掛かる時間（すなわち、「捌け速度」）によって定量評価することができる。また、本明細書において、「液浸透性」とは、トップシート５０の肌対向面上に供給された液状排泄物が、該肌対向面上からトップシート５０内に浸透する際の浸透のし易さを意味し、液状排泄物が、トップシート５０の肌対向面上からトップシート５０内に浸透し終わるのに掛かる時間（すなわち、「浸透速度」）によって定量評価することができる。【００６７】
浸透速度及び刷け速度は、以下の工程１〜工程７によって測定できる。
工程１：着用者の体温を想定し、４０℃に設定したオーブン内に測定対象サンプルを入れる。測定対象サンプルは、肌対向面側同士が向き合うように、前後方向の中心を基点に二つ折りにした状態とする。
工程２：二つ折りした測定サンプルを１０個用意して、厚み方向に重なるように積層し、上部に３．５ｋｇのおもりを載せる。オーブン内で、１日置いておく。
工程３：オーブンから取り出し、おもりを除去した状態で、１時間以上常温で置いておく。
工程４：測定対象サンプルを展開し、肌対向面側のトップシートが配置された領域であって、二つ折の折り線と重ならない領域に、模擬尿の滴下位置を設定する。
工程５：直径６０ｍｍの円筒を準備し、円筒の中心が滴下位置となるように円筒をセットする。
工程６：着色した模擬尿を４０ｍｌ滴下する。滴下と同時にストップウォッチをスタートさせ、滴下スタートから模擬尿が全てトップシートに吸収された時点までの時間を測定し、当該時間を浸透速度とする。
工程７：トップシート５０の肌対向面上に滴下された模擬尿が、すべて吸収体側に移行した時間（秒）を計測し、この計測された時間を捌け速度（秒）とする。なお、上記模擬尿は、イオン交換水１０Ｌに、尿素２００ｇ、塩化ナトリウム８０ｇ、硫酸マグネシウム８ｇ、塩化カルシウム３ｇ及び色素（青色１号）約１ｇを溶解させることにより調製する。【００６８】
図５は、トップシート５０と吸収体４０の幅方向Ｗに沿った断面を模式的に示した断面図である。トップシート５０は、凸部５２及び凹部５１を有する。凹部５１は、凸部５２よりも非肌対向面側Ｔ２に凹んでいる。トップシート５０は、凸部５２からなる畝と凹部５１からなる溝を有する畝溝構造である。凹部５１及び凸部５２は、それぞれ前後方向Ｌに延びている。凹部５１は、幅方向Ｗに間隔を空けて配置され、凸部５２は、幅方向Ｗに間隔を空けて配置されている。凹部５１と凸部５２は、幅方向Ｗにおいて交互に配置される。【００６９】
トップシート５０が凹部５１と凸部５２を有し、かつ吸収体４０の中央領域４４が非肌対向面側Ｔ２に凹んでいるため、着用者と吸収体の間に前後方向に延びる空間Ｓ１と、トップシートの凹凸と、によって体液を前後方向Ｌに沿って拡散できる。また、中央領域４４と重なる凸部５２及び凹部５１は、体圧によって潰れ難く、その形状を維持し易い。トップシート５０の凸部５２及び凹部５１によって、体液を前後方向Ｌに拡散することができ、吸収体４０の前後方向の全域にわたって吸収性能を有効活用し易くなる。【００７０】
凹部５１は、トップシート５０の繊維の平均坪量よりも繊維の坪量が低い部分であり、凸部５２は、トップシート５０の繊維の平均坪量よりも繊維の坪量が高い部分である。凹部５１の厚みＴ５１は、凸部５２の厚みＴ５２よりも薄い。凹部５１の密度は、凸部５２の密度よりも高い。このような構成によれば、凸部５２と凹部５１に密度差が発生する。この密度差によって体液が凸部５２の凸部から凹部５１へ素早く移行する。そのため、トップシートの凹部５１によって体液を引き込み易くなり、吸収性を高めることができる。【００７１】
塗布領域５３は、少なくとも凸部５２に設けられていればよく、非塗布領域５４は、少なくとも凹部５１に設けられていればよい。凸部５２にローションが付されていると、トップシート５０の肌対向面側Ｔ１の親水度が低くなる。凹部５１にローションが付されていないと、トップシート５０の肌対向面側の親水度が高い状態で維持される。そのため、凸部５２の塗布領域５３から凹部５１の非塗布領域５４に向かって親水度が高くなる。体液は、より親水度の高い非肌対向面側に移行し易く、吸収体側に引き込まれ、迅速に吸収体側に引き込まれる。また、トップシートの凸部及び凹部によって、体液を前後方向に拡散することができ、吸収体の前後方向の全域にわたって吸収性能を有効活用し易くなる。なお、本実施の形態の塗布領域５３及び非塗布領域５４は、凸部５２と凹部５１にそれぞれ設けられている。【００７２】
トップシート５０は、中央領域４４の肌対向面側Ｔ１と側部領域４５の肌対向面側Ｔ１とに跨って配置されている。中央領域４４の肌対向面側Ｔ１から幅方向に延びるトップシート５０は、中央吸収層４０１と第１側部吸収層４０２の間に延出せずに、側部領域４５の肌対向面側Ｔ１に延びる。側部領域４５において、トップシート５０は、中央吸収層４０１と第１側部吸収層４０２の間、及び第１側部吸収層４０２と第２側部吸収層４０３の間に配置されていない。このような構成によれば、側部領域４５に幅方向Ｗの内側に向かう力がかかった際に側部吸収層が幅方向Ｗの内側に移動し難くなり、吸収体４０の変形を効果的に抑制できる。また、吸収体４０の折り構造を維持することができ、中央吸収層４０１、第１側部吸収層４０２及び第２側部吸収層４０３の３つの吸収層で排泄物を効率よく吸収し、排泄物の漏れを抑制できる。また、トップシート５０が中央領域４４と側部領域４５に跨って配置され、中央吸収層４０１と側部吸収層の間に巻き込まれていないため、トップシート５０の平面方向においてトップシート５０による密度差が生じ難く、トップシート５０の表面や内部において局所的に尿が滞留することを抑制できる。加えて、中央領域４４と側部領域４５の境界において、中央領域４４の肌対向面、側部領域４５の肌対向面、及びトップシート５０によって囲まれた空間Ｓ２を形成し、当該空間Ｓ２によって体液を一時的に保持したり、体液を前後方向に拡散したりできる。【００７３】
（４）吸収体同士の接合態様及び吸収体と非肌面シートの接合態様
次いで、吸収体同士の接合態様及び吸収体と非肌面シートの接合態様について説明する。使い捨ておむつ１０には、吸収体４０が折り畳まれた折り畳み状態において、第１接合部Ｒ１と、第２非接合部ＮＲ２と、第３接合部Ｒ３と、第３非接合部ＮＲ３と、が設けられている（図６参照）。各接合部は、ホットメルト型接着剤等の接着剤が配置された領域であり、各非接合部は、ホットメルト型接着剤等の接着剤が配置されていない領域、又は接合部よりも接着力が弱くなるように接着剤が配置された領域である。第１接合部Ｒ１、第２非接合部ＮＲ２、第３接合部Ｒ３、及び第３非接合部ＮＲ３を有することにより、着用時の使い捨ておむつ１０の意図しない変形を抑制し、排泄物の漏れを抑制できる。図６は、使い捨ておむつの着用状態を模式的に示した断面図である。使い捨ておむつ１０は、着用者に装着されると、着用者の両足によって挟まれる。使い捨ておむつ１０には、幅方向Ｗの外側から幅方向Ｗの内側に向かう力がかかる。このとき、第２側部吸収層４０３の外側縁が第１折り線よりも幅方向の外側に位置するため、幅方向の外側から幅方向の内側に向かう力は、第２側部吸収層４０３の外側縁にかかる。第２側部吸収層４０３は、変形することによって幅方向の外側から幅方向の内側に向かう力を吸収する。よって、中央吸収層４０１が当該力によって変形することを防ぐことができる。【００７４】
第１接合部Ｒ１は、中央吸収層４０１の肌対向面と第１側部吸収層４０２の非肌対向面とが接合された部分である。第１接合部Ｒ１は、中央吸収層４０１の肌対向面と第１側部吸収層４０２の非肌対向面とが対向した全面に設けられていてもよいし、当該対向した面の一部に設けられていてもよい。第１接合部Ｒ１が設けられていることにより、使い捨ておむつ１０に対して幅方向の外側から幅方向の内側に向かって力がかかった際に、中央吸収層４０１と第１側部吸収層４０２の位置がずれることを抑制し、第１折り線ＦＬ１による折り構造が維持され易い。よって、中央吸収層４０１の意図しない変形及び吸収体全体が幅入りすることを防ぐことができ、着用者の股下に対して一定の幅で吸収体４０を配置できる。一定の幅を有する吸収体４０によって排泄物を吸収でき、排泄物の漏れを抑制できる。【００７５】
第２非接合部ＮＲ２は、着用状態において、第１側部吸収層４０２の肌対向面と第２側部吸収層４０３の非肌対向面とが接合されていない部分である。第２非接合部ＮＲ２は、少なくとも股下域２５において第１側部吸収層４０２の肌対向面と第２側部吸収層４０３の非肌対向面とが対向した全面に設けられている。第２非接合部ＮＲ２は、使い捨ておむつ１０の前後方向の中心を跨ぎ、かつ股下域２５において前後方向に延びる。本実施の形態の第２非接合部ＮＲ２は、接着剤が配置されていない領域であり、折り畳み状態においても非接合状態である。第２非接合部ＮＲ２は、折り畳み状態において第１側部吸収層４０２の肌対向面と第２側部吸収層４０３の非肌対向面とが接合されており、かつ着用されて幅方向の外側から幅方向の内側に向かう力がかかった際に第１接合部よりも先に非接合状態となる構成であってもよい。着用時に股下域２５において第１側部吸収層４０２の肌対向面と第２側部吸収層４０３の非肌対向面とが接合されていないため、幅方向の外側から幅方向の内側に向かう力がかかった際に、中央吸収層４０１と接合された第１側部吸収層４０２を基点にして左右の第２側部吸収層４０３が着用者側に盛り上がるように変形し、第２側部吸収層４０３の非肌対向面側Ｔ２に空間Ｓ３が形成される。第１側部吸収層４０２と第２側部吸収層４０３の間の空間Ｓ３によって排泄物を保持し、排泄物の漏れを抑制できる。【００７６】
第３接合部Ｒ３は、第２側部吸収層４０３と非肌面シートが接合された部分である。より詳細には、第３接合部Ｒ３において、第２側部吸収層４０３の非肌対面と非肌面シートとしてのバックシート６０ａの肌対向面とが接合されている。第２側部吸収層４０３の前後方向Ｌの範囲は、吸収体４０の前後方向Ｌの全域である。第３接合部Ｒ３の幅方向Ｗの範囲は、第２側部吸収層４０３の外側縁から幅方向Ｗの内側に延びる一定の範囲である。第３接合部Ｒ３は、第１折り線ＦＬ１よりも幅方向Ｗの外側に位置し、第１折り線ＦＬ１と離間している。第３接合部Ｒ３よりも幅方向Ｗの内側には、第３非接合部ＮＲ３が設けられている。第３非接合部ＮＲ３は、第２側部吸収層４０３と非肌面シートが接合されていない部分である。第３非接合部ＮＲ３は、使い捨ておむつ１０の前後方向の中心を跨ぎ、かつ股下域２５において前後方向Ｌに延びる。第３非接合部ＮＲ３は、第３接合部Ｒ３よりも幅方向Ｗの内側かつ第１折り線ＦＬ１よりも幅方向Ｗの外側である。第１折り線ＦＬ１よりも幅方向の内側の領域では、中央吸収層４０１とバックシート６０ａは、接合されている。第３接合部Ｒ３は、本発明における接合領域を構成し、第３非接合部ＮＲ３は、本発明における非接合領域を構成する。【００７７】
第２側部吸収層４０３とバックシート６０ａは、第３接合部Ｒ３によって接合され、かつ第３非接合部ＮＲ３によって接合されていない。そのため、幅方向Ｗの外側から幅方向Ｗの内側に向かう力がかかった際に、第３接合部Ｒ３を基点にして第３非接合部ＮＲ３に接する吸収体４０が着用者側に盛り上がるように変形し、第２側部吸収層４０３、バックシート６０ａ、及び中央吸収層４０１によって囲まれた空間Ｓ４を少なくとも股下域２５に設けることができる（図６参照）。当該空間Ｓ４によって尿を収容できる。また、当該空間Ｓ４によって前後方向Ｌに尿を拡散でき、吸収体４０の前後方向Ｌの全域で体液を保持できる。そのため、長時間使用された場合であっても、吸収体４０全体で体液を吸収し、体液の漏れを抑制できる。加えて、当該空間Ｓ４によって前後方向Ｌに湿気を拡散でき、蒸れを抑制し、装着感を向上できる。【００７８】
第３接合部Ｒ３は、弾性部材７７の内側縁に重なる領域に配置される。立体ギャザーが複数の弾性部材を有する構成にあっては、弾性部材７７の内側縁は、最も幅方向の内側に位置する弾性部材の内側縁である。立体ギャザーの弾性部材７７の内側縁は、弾性部材７７の伸縮によって収縮し、着用者側に起立する。弾性部材７７の内側縁に重なる領域の吸収体は、第３接合部Ｒ３によってバックシート６０ａに接合され、変形し難い。よって、立体ギャザーが収縮する際に吸収体４０の形状が維持され易く、立体ギャザーが吸収体４０から着用者側に立ち上がり易くなる。よって、立体ギャザーと吸収体４０との間に排泄物を収容する空間を広く設けることができ、排泄物の漏れを抑制できる。その結果、吸収体４０の折り構造を維持しつつ、排泄物の漏れを効果的に抑制できる。【００７９】
（５）実施例
次いで、トップシートを異ならせた吸収性物品の吸収性能の比較評価について説明する。実施例１及び２に係る吸収性物品と、比較例１〜３に係る吸収性物品と、を用いて、刷け速度について評価した。実施例１、実施例２及び比較例１に係る吸収性物品の吸収体は、上述の実施の形態の吸収体と同様に、第１折り目及び第２折り目を基点に折り畳まれている。比較例２及び比較例３に係る吸収性物品の吸収体は、折り目を基点に折り畳まれてなく、全体に亘って同じ厚みである。【００８０】
実施例１、実施例２及び比較例３に係るトップシートは、塗布領域が幅方向に間隔を空けて配置されている。実施例１及び比較例３に係るトップシートの塗布領域間の間隔（非塗布領域の幅）は、２ｍｍである。実施例２に係るトップシートの塗布領域間の間隔（非塗布領域の幅）は、５ｍｍである。比較例１及び比較例２に係るトップシートは、ローションが塗布されていない。【００８１】
刷け速度は、上述の工程１から７に加えて、工程８：工程６及び８を２回繰り返し、合計４０ｍｌ×３回分の模擬尿の滴下を実施することによって、測定した。図７に、実施例１及び２に係る吸収性物品の刷け速度と、比較例１から３に係る吸収性物品の刷け速度と、の結果を示す。また、図８に、３回模擬尿を滴下した際の滴下スタートから３０秒経過、１分経過、２分経過、３分経過、及び５分経過のトップシートの写真を示す。なお、実施例の刷け速度の測定における滴下位置は、中央領域内とする。【００８２】
１回目の滴下（４０ｍｌの滴下時）においては、実施例１及び２に係る吸収性物品の刷け速度と、比較例１から３に係る吸収性物品の刷け速度と、は、大きく異ならなかった。しかし、２回目の滴下（８０ｍｌの滴下時）及び３回目の滴下（１２０ｍｌの滴下時）においては、実施例１及び２に係る吸収性物品の刷け速度が、比較例１から３に係る吸収性物品の刷け速度よりも飛躍的に速かった。実施例１及び２に係る吸収性物品は、良好な液刷け性を有することがわかった。また、実施例１及び２に係る吸収性物品の比較により、塗布領域の間隔は、５ｍｍよりも２ｍｍが好ましいことがわかった。【００８３】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【産業上の利用可能性】
【００８４】
吸収体の幅方向の中央に排出された体液を拡散し、吸収体の吸収性能を有効活用することができる吸収性物品を提供できる。
【符号の説明】
【００８５】
１０            ：使い捨ておむつ（吸収性物品）
２０            ：前胴回り域
２５            ：股下域
３０            ：後胴回り域
４０            ：吸収体
４０ａ          ：吸収コア
４０ｂ          ：コアラップ
４０１          ：中央吸収層
４０２          ：第１側部吸収層
４０３          ：第２側部吸収層
４４            ：中央領域
４５            ：側部領域
５０            ：トップシート
５１            ：凹部
５２            ：凸部
５３            ：塗布領域
５４            ：非塗布領域
６０            ：外装シート
６０ａ          ：バックシート
Ｌ              ：前後方向
Ｔ              ：厚み方向
Ｗ              ：幅方向
ＦＬ１          ：第１折り線
ＦＬ２          ：第２折り線
Ｒ１            ：第１接合部
ＮＲ２          ：第２非接合部
Ｒ３            ：第３接合部
ＮＲ３          ：第３非接合部
【図１】
0006711850.tif 000002
【図２】
0006711850.tif 000003
【図３】
0006711850.tif 000004
【図４】
0006711850.tif 000005
【図５】
0006711850.tif 000006
【図６】
0006711850.tif 000007
【図７】
0006711850.tif 000008
【図８】
0006711850.tif 000009